(57)【要約】  被清掃体に流体を噴射して、この被清掃体に入り込んだ埃を掻き出して除去するようにした清掃装置において、前記流体の噴射の効果を維持しつつ、掻き出した埃の除去を効率よく行なうことのできる清掃装置を提供することを課題とする。  開口部（２ａ）が被清掃体（Ｗ）に押し当てられることにより被清掃体（Ｗ）の表面に清掃空間（Ａ）を形成する清掃ヘッド（２）と、この清掃ヘッド（２）に流体を供給する流体供給手段（３）と、剥がされた汚れを清掃空間（Ａ）内の流体とともに吸引した後に分離捕捉する吸引手段（４）とを備え、清掃ヘッド（２）には、前記流体が開口部（２ａ）へ向けて案内される給気路（６ｃ）が形成されているとともに、この給気路（６ｃ）と分離して併設され、清掃空間（Ａ）と吸引手段（４）とを連通する吸引路（６ｂ）が形成されており、かつ、給気路（６ｃ）と吸引路（６ｂ）とが、開口部（２ａ）の面方向にずれて設けられている。
2015115477.tif 000002
【特許請求の範囲】
【請求項１】
被清掃部位に流体を吹き付けて、この被清掃体に付着した汚れを剥がすとともに、この剥がされた汚れを捕捉するようにした清掃装置であって、前記被清掃体に向けられる開口部を有し、この開口部が前記被清掃体に押し当てられることにより前記被清掃体の表面に清掃空間を形成する清掃ヘッドと、この清掃ヘッドに流体を供給する流体供給手段と、前記剥がされた汚れを前記清掃空間内の流体とともに吸引した後に分離捕捉する吸引手段とを備え、前記清掃ヘッドには、前記流体が前記開口部へ向けて案内される給気路が形成されているとともに、この給気路と分離して併設され、前記清掃空間と前記吸引手段とを連通する吸引路が形成されており、かつ、前記給気路と吸引路とが、前記開口部の面方向にずれて設けられている特徴とする清掃装置。
【請求項２】
前記給気路内に、可撓性材料によって形成された噴射管が配設され、この噴射管の上流側の端部が、前記清掃ヘッドに固定されているとともに前記流体供給手段へ連通され、残余の部位が、前記給気路を経て前記清掃空間に位置させられていることを特徴とする請求項１に記載の清掃装置。
【請求項３】
前記清掃ヘッドが、前記流体供給手段および前記吸引手段が接続されたヘッド本体と、このヘッド本体に着脱可能に装着され、前記開口部、前記給気路、および、前記吸引路が形成された先部材とによって構成されていることを特徴とする請求項１または請求項２に記載の清掃装置。
【請求項４】
前記ヘッド本体に、前記噴射管の上流側の端部が固定され、前記ヘッド本体に前記先部材を装着した際に、前記噴射管の残余の部位が、前記先部材に形成されている給気路内に位置させられるようになされていることを特徴とする請求項３に記載の清掃装置。
【請求項５】
前記先部材が複数設けられ、それぞれの先部材に形成されている前記開口部の形状が、相互に異なる形状となされていることを特徴とする請求項３または請求項４に記載の清掃装置。
【請求項６】
前記噴射管と前記流体供給手段との接続をなす接続部材の内径が、前記噴射管の内径と略同一となされていることを特徴とする請求項２ないし請求項５の何れかに記載の清掃装置。
【請求項７】
前記噴射管内に、液体を送り込む給液管が、前記噴射管の内壁との間に隙間を保持した状態で内装されていることを特徴とする請求項２ないし請求項６の何れかに記載の清掃装置。
【請求項８】
前記噴射管内の、前記給液管の下流側の端部近傍に、前記噴射管内を流れる流体を加速することにより、前記給液管の下流側の端部近傍を減圧するオリフィスが形成されていることを特徴とする請求項７に記載の清掃装置。 
【発明の詳細な説明】
【技術分野】
【０００１】  本発明は清掃装置に係わり、特に、被清掃体に水や空気等の流体を吹き付けて、前記被清掃部に付着した塵埃等の汚れを剥ぎ取るとともに、この剥ぎ取られた汚れを前記流体とともに吸引した後に捕捉することにより、前記被清掃体の清掃を行なうようにした清掃装置に関するものである。
【背景技術】
【０００２】  一般に、車のシートやカーペット等にあっては、その内部に塵埃が入り込みやすく、通常の吸引式の清掃装置では、前述した汚れの除去が十分に行なえない。【０００３】  このような不具合に対処すべく従来では、たとえば、特許文献１に示されるように、流体を噴射するノズルを取り囲んで筒状のケーシングを配置し、このケーシングの一端部に、被清掃体に突き当てられる開口部を形成するとともに、前記ケーシングの側壁に、このケーシング内の流体を外部へ排出する排出口を設けた構成の清掃装置が提案されている。【０００４】  この清掃装置は、前記ケーシングを、その開口部を被清掃体に押し当てて、この被清掃体の表面に閉塞された清掃空間を形成しておき、前記ノズルから被清掃体へ向けて流体を噴射して、この被清掃体の内部に入り込んだ埃を前記清掃空間部に掻き出した後に、この埃を前記清掃空間部の流体とともに前記排出口から取り出し、さらに、この流体から前記埃を分離して捕捉するようにしたものである。
【先行技術文献】
【特許文献】
【０００５】
【特許文献１】特開２００６−２４６９２８号公報
【発明の概要】
【発明が解決しようとする課題】
【０００６】  前述した従来の技術によって、被清掃体の内部に入り込んだ塵埃等の汚れを掻き出して捕捉することが可能となったが、なお、つぎのような改善すべき問題点が残されている。【０００７】  すなわち、前述した技術では、清掃に用いられた流体を排出するための排出路が、流体を噴出する前記ノズルを取り囲むようにして同心状に形成されており、かつ、前記ノズルが前記ケーシングに形成されている開口部の略中央部に位置するように配置されている。【０００８】  したがって、清掃に際して、前記流体は、前記ノズルから前述した清掃空間部を経て前記開口部全体を覆うように噴射されるため、清掃後の流体中に新たな流体が噴射され、これによって、掻き出した埃が、新たに噴射される流体によって開口部へ押しやられてしまうことが想定される。【０００９】  このような不具合により、掻き出した埃が前記排出口へ移動することが妨げられ、効果的な清掃が行なえない。  また、前述した清掃空間に掻き出された塵埃等の汚れを前記排出口へ円滑に導くためには、前記排出口に吸引手段を連設して、前記清掃空間内の流体を吸引することが考えられるが、このような対策においても、その吸引力が、前記ノズルから噴射される新たな流体へ作用してしまい、前記被清掃体に衝突する際の勢いが削がれて、塵埃等の掻き出し作用が低下してしまうことが想定され、十分な解決手段とはなり得ない。【００１０】  本発明は、このような従来の問題点に鑑みてなされたもので、被清掃体に流体を噴射して、この被清掃体に入り込んだ塵埃等の汚れを掻き出して除去するようにした清掃装置において、前記流体の噴射の効果を維持しつつ、掻き出した塵埃等の汚れの除去を効率よく行なうことのできる清掃装置を提供することを解決課題とする。
【課題を解決するための手段】
【００１１】  本発明の清掃装置は、前述した課題を解決するために、被清掃体に流体を吹き付けて、この被清掃体に付着した汚れを剥がすとともに、この剥がされた汚れを捕捉するようにした清掃装置であって、前記被清掃体に向けられる開口部を有し、この開口部が前記被清掃体に押し当てられることにより前記被清掃体の表面に清掃空間を形成する清掃ヘッドと、この清掃ヘッドに流体を供給する流体供給手段と、前記剥がされた汚れを前記清掃空間内の流体とともに吸引した後に分離捕捉する吸引手段とを備え、前記清掃ヘッドには、前記流体が前記開口部へ向けて案内される給気路が形成されているとともに、この給気路と分離して併設され、前記清掃空間と前記吸引手段とを連通する吸引路が形成されており、かつ、前記給気路と吸引路とが、前記開口部の面方向にずれて設けられていることを特徴とする。【００１２】  本発明の清掃装置にあっては、前記清掃ヘッドの開口部を被清掃体に押し当てることにより、前記開口部近傍に、閉じられた清掃空間を形成し、ついで、前記流体供給手段によって、前記給気路を経て前記開口部へ向けて流体を噴射することにより、この開口部が押し当てられた被清掃体に前記流体を吹き付けて、その内部の汚れを前記清掃空間内に掻き出す。【００１３】  このような操作と併行して、吸引手段により前記清掃空間の流体を吸引することにより、この流体とともに、前述したように掻き出された汚れを吸引し、さらに、この汚れを、たとえば、フィルター等を用いて前記流体から分離し捕獲する。  これによって、被清掃体の内部に入り込んだ汚れを除去することができる。  そして、前述した清掃作業を、前記清掃ヘッドを前記清掃部位の面方向に移動させつつ行なうことにより、被清掃体の全面について行なわれる。【００１４】  ここで、前記給気路と前記吸引路が、前記開口部の面方向にずれて設けられていることから、前記給気路から噴射された流体は、前記開口部のある領域に到達した後に、前記開口部の面に沿って前記吸引路側に移動し、これより前記吸引路へ吸引される。【００１５】  このように、前記清掃空間内において、前記給気路から被清掃体を経て前記吸引路へ向かう流体の流れが形成される。  この結果、前記流体が被清掃体に吹き付けられることによってその内部の汚れが掻き出され、この掻き出された汚れが前記流体とともに前記吸引路へ導かれるので、噴出される流体による清掃効果を維持しつつ、掻き出された汚れの捕獲を確実に行なうことができ、効果的な清掃を行なうことができる。【００１６】  本発明では、前記給気路内に、可撓性材料によって形成された噴射管が配設され、この噴射管の上流側の端部が、前記清掃ヘッドに固定されているとともに前記流体供給手段へ連通され、残余の部位が、前記給気路を経て前記清掃空間に位置させられた構成とすることができる。【００１７】  このような構成とすることにより、前記噴射管を介して前記流体を噴射する際に、その噴射の反力により、前記噴射管の下流側の端部が鞭打ち状に振り回される。  この結果、前記流体が、被清掃体に，その面方向において無軌道状に噴射されることとなり、前述した汚れの掻き出し作用が増幅され、清掃効果が高められる。【００１８】  また、前記清掃ヘッドを、前記流体供給手段および前記吸引手段が接続されたヘッド本体と、このヘッド本体に着脱可能に装着され、前記開口部、前記給気路、および、前記吸引路が形成された先部材とによって構成することができる。【００１９】  このような構成とすることにより、前記被清掃体と接触状態で使用される前記清掃ヘッドの摩耗等による劣化に際し、前記先部材の交換によって対処することができる。【００２０】  そして、前記ヘッド本体に前記噴射管の上流側の端部を固定しておき、前記ヘッド本体に前記先部材を装着した際に、前記噴射管の残余の部位が、前記先部材に形成されている給気路内に位置させられるように構成することにより、前記先部材を、主要な構成部材から切り離して構成することができ、この先部材の取り替えを簡便なものとすることができる。【００２１】  また、前記先部材を複数設けるとともに、それぞれの先部材の先端形状や開口部の形状を相互に異なる形状としておき、これらの先部材を選択的に使用することにより、清掃作業の内容に適した先部材を用いることができる。【００２２】  たとえば、面の清掃を行なう場合には、幅広の開口部を有する先部材を用い、また、角部や隙間の清掃を行なう場合には、縦長の細い開口部を有する先部材を用いることにより、効果的な清掃作業を行なうことができる。【００２３】  また、前記噴射管と前記流体供給手段との接続をなす接続部材の内径を、前記噴射管の内径と略同一とすることが好ましい。  このような構成とすることにより、前記噴射管内に送り込まれる流体の流入量、すなわち、前記噴射管から噴射される流体の噴射量を確保し、これによって、前記噴射管の下流側端部の鞭打ち状の動きを円滑に行なわせることができる。【００２４】  また、前記噴射管内に、液体を送り込む給液管を、前記噴射管の内壁との間に隙間を保持した状態で内装しておくことも可能である。  このような構成とすることにより、前記液体を、前記流体とともに被清掃体に吹き付けてその清掃を行なうことができるので、前記液体により埃を吸着除去し、清浄効果を高めることができる。【００２５】  前述したようにして清掃に用いられた液体は、前記流体とともに、前記吸引路を経て吸引手段へ吸引される。【００２６】  そして、前記給液管には、その外側を覆って設けられている前記噴射管の振れにより振動が与えられ、この結果、前記給液管から送出される液体が、滴状もしくは霧状となされる。  このように微細化された前記液体は、前記被清掃体の隙間へ容易に入り込み、この隙間内の埃を吸着して除去する。  この結果、洗浄を効率よく行なうことができる。【００２７】  さらに、前記噴射管内の、前記給液管の下流側の端部近傍に、前記噴射管内を流れる流体を加速することにより、前記給液管の下流側の端部近傍を減圧するオリフィスを形成した構成とすることができる。【００２８】  このように、前記オリフィスによって前記給液管の下流側の端部近傍を減圧することにより、この給液管内の液体を吸い出して前記流体と混合させることができる。  したがって、前記液体を送り込む機器を不要にすることができる。
【発明の効果】
【００２９】  本発明によれば、清掃に用いられる流体の流れをほぼ一方向に制御して、前記被清掃体への吹きつけから吸引に至る、流体の安定した流れを実現することができる。  したがって、前記流体を被清掃体に噴射することによる、内部に入り込んだ汚れを掻き出す作用、この掻き出した汚れを前記流体とともに吸引路へ円滑に導くことによる、汚れの再付着防止作用、および、この汚れの捕獲作用を確実に実施することができ、効果的な清掃作業を行なうことができる。
【図面の簡単な説明】
【００３０】
【図１】本発明の第１の実施形態を示す構成図である。
【図２】本発明の第１の実施形態を示すもので、先部材の外観図である。
【図３】本発明の第１の実施形態を示すもので、先部材の縦断面図である。
【図４】本発明の第１の実施形態を示すもので、先部材の正面図である。
【図５】本発明の第１の実施形態を示すもので、清掃ヘッドの縦断面図である。
【図６】本発明の第１の実施形態を示すもので、清掃ヘッドの正面図である。
【図７】本発明の第１の実施形態を示すもので、使用状態を示す清掃ヘッドの縦断面図である。
【図８】本発明の第１の実施形態を示すもので、噴射管の動作を示す概略図である。
【図９】本発明の第２の実施形態を示すもので、先部材の外観図である。
【図１０】本発明の第３の実施形態を示すもので、ヘッド本体と噴射管とを示す分解図である。
【図１１】本発明の第４の実施形態を示すもので、噴射管の縦断面図である。
【図１２】本発明の第５の実施形態を示すもので、噴射管の縦断面図である。
【図１３】本発明の第６の実施形態を示すもので、噴射管の縦断面図である。
【発明を実施するための形態】
【００３１】  以下、本発明の第１の実施形態について、図１ないし図８を参照して説明する。  図１は、本実施形態の清掃装置１の構成図で、この清掃装置１は、後述する被清掃体Ｗに接触させられて、その清掃をなす清掃ヘッド２と、この清掃ヘッド２に清掃用の流体を加圧して供給する流体供給手段３と、前記清掃ヘッド２によって掻き出された汚れを吸引する吸引手段４とによって構成されている。
【００３２】  さらに詳述すれば、前記清掃ヘッド２は、本実施形態においては、前記流体供給手段３および前記吸引手段４が接続されたヘッド本体５と、このヘッド本体５に着脱可能に装着された先部材６とによって構成されている。
【００３３】  前記ヘッド本体５には、図５に示すように、前記流体の供給および停止をなす操作レバー７ａを備えた開閉弁７が内装され、この開閉弁７の上流側の端部が、図１に示すように、前記流体供給手段３に流体供給管８を介して接続されるようになっている。
【００３４】  また、前記開閉弁７の下流側には、図５に示すように、可撓性材料によって形成された噴射管９が接続部材９ａを介して取り付けられ、前記操作レバー７ａによって前記開閉弁７が開放された際に送り込まれる流体を、その先端から噴射するようになっており、この噴射管９は、前記ヘッド本体５から突出するように装着されている。
【００３５】  また、前記ヘッド本体５には、図１に示すように、前記吸引手段４に吸引ホース１０を介して接続される吸引管１１が一体に設けられ、この吸引管１１は、前記開閉弁７の上流側に延設されているとともに、図１に示すように、この開閉弁７の上流側の端部に対向させられるように湾曲形成されている。
【００３６】  前記吸引管１１の湾曲部は、作業者によって把持されるようになされ、かつ、把持した状態において、作業者が、その指によって前記開閉弁７の操作レバー７ａを操作できるように、前記開閉弁７との位置関係が設定されている。
【００３７】  また、前記ヘッド本体５の前記吸引管１１の上流側の端部には、図５に示すように、前記先部材６の基端部が嵌合させられる止着部１１ａが形成されているとともに、この止着部１１ａには、前記止着部１１ａに嵌合させられた前記先部材６へ係合させられて、この先部材６の抜け止めを行なうロックレバー１２が装着されている。
【００３８】  前記ロックレバー１２は、前記止着部１１ａの外側に、枢軸１３を介して回動可能に装着されており、前記枢軸１３を挟んだ一方の端部が、前記止着部１１ａに形成された貫通孔１１ｂを介してその内部に突出可能な係止爪１２ａとなされ、また、他方の端部が、このロックレバー１２を回動操作するための操作ボタン１２ｂとなされている。
【００３９】  そして、前記ロックレバー１２の、前記操作ボタン１２ｂが設けられた側の端部と前記吸引管１１の外面との間には、前記ロックレバー１２を、その係止爪１２ａが前記止着部１１ａ内に位置するように付勢するスプリング等の付勢部材１４が介装されている。
【００４０】  前記付勢部材１４は、前記吸引管１１の外壁に固定された支持ピン１５によって位置決めされた状態で支持されている。
【００４１】  前記先部材６は、図２および図４に示すように、その基端部が、前記ヘッド本体５の止着部１１ａに嵌合させられるように筒状に形成され、先端部が、図１、図４、および、図６に示すように、横長の矩形状の開口部２ａとなされている。
【００４２】  また、前記先部材６の内部には、図３に示すように、その基端部から先端部へ向かう隔壁６ａが形成され、この隔壁６ａによって、前記基端部内部と開口部２ａと連通する吸引路６ｂが形成されている。
【００４３】  さらに、前記先部材６の内部には、図５に示すように、この先部材６の基端部を前記ヘッド本体５の止着部１１ａに嵌合させた状態において、前記ヘッド本体５に装着されている前記噴射管９が挿入される給気路６ｃが、前記吸引路６ｂとほぼ並行となるように形成されている。  一方、前記先部材６の基端部外面には、この先部材６が前記ヘッド本体５の正規位置に装着された際に、前記ヘッド本体５に設けられているロックレバー１２の係止爪１２ａが係合させられる係合凹部６ｄが形成されている。
【００４４】  前記隔壁６ａの先端部は、前記開口部２ａの開口面から若干後退した位置に位置させられており、この隔壁６ａの先端部と前記開口部２ａの開口面との間に形成される空間部が清掃空間Ａとなされる。
【００４５】  前記噴射管９の先端部近傍には、合成樹脂製のプロテクトチューブ１６が装着されており、このプロテクトチューブ１６は、前記噴射管９が振り回された際に、前記先部材６の内壁に衝突することが想定されることから、前記噴射管９と前記先部材６との直接的な接触を防止して、前記噴射管９の損傷を防止するために設けられたものである。
【００４６】  また、前記噴射管９と前記開閉弁７との連結部分には、前記ヘッド本体５に前記先部材６を装着した状態において、この先部材６の給気路６ｃを気密に閉塞するパッキン１７が装着されている。
【００４７】  一方、前記流体供給手段３は、清掃用の流体が空気である場合にはエアコンプレッサーが用いられ、前記流体が液体である場合にはポンプが用いられる。  また、前記吸引手段としては、吸引式の集塵機等が用いられ、内部にフィルターが装着されて、吸引した流体から塵埃を分離して捕獲するようになっている。
【００４８】  このように構成された本実施形態に係わる清掃装置１の作用について、図７を参照して説明する。  清掃作業を開始するのに先立って、作業員は、前記流体供給手段３および前記吸引手段４を起動し、前記吸気管１１を握って清掃ヘッド２を持ち、前記先部材６の先端開口部２ａを被清掃体Ｗに突き当てる。  この状態において、図７に示すように、前記被清掃体Ｗの面近傍に清掃空間Ａが形成される。
【００４９】  ついで、作業員が前記操作レバー７ａを操作して前記開閉弁７を開放すると、この開閉弁７を介して前記噴射管９に清掃用の流体が供給され、この流体が、前記噴射管９の先端から前記被清掃体Ｗへ向けて噴射される。
【００５０】  前記被清掃体Ｗに噴射された前記流体は、前記被清掃体Ｗが布等である場合には、その内部へ入り込んで、その内部の塵埃等の汚れを前記被清掃体Ｗから剥がすとともに、前記清掃空間Ａ内に掻き出す。
【００５１】  このようにして清掃空間Ａ内に掻き出される汚れは、前記給気路６ｃと前記吸引路６ｂとがずらされていることにより、前記流体の噴射位置から前記吸引路６ｂ側へ押し流されるように掻き出されるとともに、この吸引路６ｂを経て前記吸引手段４に吸引される。
【００５２】  このように、前記被清掃体Ｗに噴射される流体は、その噴射位置から前記被清掃体Ｗの面方向にずれた吸引路６ｂ側へ流れた後に、この吸引路６ｂへ流れ込む。  したがって、前記清掃空間Ａ内において、前記流体の一方向の流れが形成される。
【００５３】  このように清掃用の流体の流れが一方向となされることにより、継続して噴射されている流体が、前記被清掃体Ｗへ押し戻される現象が抑制される。  したがって、掻き出された汚れが確実に前記吸引路６ｂを経て前記吸引手段４へ導かれ、この吸引手段４において確実に捕獲される。
【００５４】  また、前述したように清掃前の流体の噴射位置と清掃後の流体の吸引位置がずれていることにより、両流体の相互干渉が抑制され、この結果、噴射される流体のエネルギーが前記吸引力によって弱められることがなく、噴射された流体による汚れの掻き出し作用が低下することはない。
【００５５】  そして、前述した作業を、前記清掃ヘッド２を、前記被清掃体Ｗの面方向に徐々に移動させつつ継続することにより、前記被清掃体Ｗの全面にわたって清掃することができる。
【００５６】  以上のように、本実施形態に係わる清掃装置１によれば、被清掃体Ｗの内部に入り込んだ汚れを効率よく掻き出して捕獲することができ、高品質の清掃作業を行なうことができる。
【００５７】  一方、本実施形態においては、前記流体を、可撓性を有する前記噴射管９によって行なうようにしているが、このような噴射管９から流体を噴射した場合、流体噴射時の反力を受けて、前記噴射管９の先端が、図８に示すように、鞭打ち状に無軌道に振られる。
【００５８】  これによって、流体の噴射速度が加速されるとともに、流体が前記被清掃体Ｗに対して細かく移動しつつ清掃が行なわれることから、汚れの掻き出し作用が増幅される。
【００５９】  なお、前述した実施形態において示した各構成部材の諸形状や寸法等は一例であって、設計要求等に基づき種々変更可能である。  たとえば、前記先部材２を複数設け、それぞれの先部材２の先端形状に変化を付けたり、あるいは、それぞれの開口部の形状を相互に異なる形状とすることもできる。
【００６０】  たとえば、図９に示す第２の実施形態のように、先部材２０の先端部を縦長に形成しておくと、隙間の清掃に好適である。  この先部材の交換は、前記ロックレバー１２の操作によって容易に行なうことができる。
【００６１】  また、前記実施形態においては、流体の噴射を、噴射管９を介して行なうようにした例について示したが、これに代えて、前記噴射管９を省略して、前記流体を、前記給気路６ｃから直接噴射するようにしてもよい。
【００６２】  図１０は、本発明の第３の実施形態を示す。  この実施形態は、前記噴射管９に変更を加えたもので、前記噴射管９が装着され、この噴射管９を前記開閉弁７に接続する前記接続部材９ａの内径Ｄ１を、前記噴射管９の内径Ｄ２とほぼ等しく形成したものである。
【００６３】  このような構成とすることにより、前記開閉弁７と前記噴射管９との接続部における流体供給路の断面積を大きくして、前記噴射管９へ供給される流体量を確保することができる。
【００６４】  したがって、前記噴射管９による流体の噴射量を確保して、この流体の噴射に伴う前記噴射管９の鞭打ち現象を発生させるためのエネルギーを確保することができる。
【００６５】  たとえば、前記噴射管９内を前記流体が流れると、この噴射管９が冷却されてその可撓性が低下することにより、前述した鞭打ち現象による振れが弱まることが想定される。
【００６６】  しかしながら、本実施形態の場合にあっては、前記噴射管９内を流れる流体のエネルギーの減少が抑制されていることから、前記噴射管９の鞭打ち現象の減衰を抑制することができる。  したがって、洗浄作用を効率よく維持することができる。
【００６７】  図１１は、本発明の第４の実施形態を示す。  この実施形態は、前記噴射管９内に、液体を送り込む給液管２１を、前記噴射管９の内壁との間に隙間を保持した状態で内装したものである。
【００６８】  前記給液管２１は、可撓性材料によって形成されて、前記噴射管９と同軸状に配置され、その先端部（下流側の端部）が、前記噴射管９の先端から後退した位置に位置させられ、また、基端部（上流側の端部）が、前記接続部材９ａの取り付け部近傍から外方へ突出させられて、外部に設置されている給液手段２２に接続されている。
【００６９】  この給液手段２２は、液体タンク２３と、この液体タンク２３内の液体を前記給液管２１に圧送するポンプ２４と、このポンプ２４と前記給液管２１との間に設けられて、前記液体の供給およびその停止をなす、開閉弁２５とによって構成されている。
【００７０】  前記給液手段２２は、前記液体タンク２３内の液体を、前記給液管２１を介して、前記噴射管９内部の先端部近傍に供給して、この噴射管９に送り込まれる流体に混合させるようになっている。
【００７１】  そして、本実施形態の場合、たとえば、前記流体を空気とし、前記液体を水若しくは洗浄液とし、これらを気液２相流体として前記噴射管９から噴射することができる。
【００７２】  これによって、前記空気と液体による洗浄を行なった後に、前記液体を、前記空気をキャリアーとして前記吸引手段４によって吸引することができる。  このように、空気と液体による洗浄を行なうことにより、前記被清掃体の汚れを液体に付着させて除去することができ、その洗浄効果を高めることができる。
【００７３】  ここで、前記給液管２１は、前記噴射管９の鞭打ち状の動きによって振動させられる。  そして、この給液管２１の振動により、この給液管２１から送り出される前記液体が滴状若しくは霧状となされて前記流体に混合させられた後に、前記被清掃体Ｗに吹き付けられる。
【００７４】  したがって、前記被清掃体Ｗの細かな凹凸部分に前記液体を送り込んで、その内部の汚れを吸着し除去することが可能となって、清浄効率を一層向上させることができる。
【００７５】  図１２は、本発明の第５の実施形態を示すものである。  本実施形態は、前記噴射管９内の、前記給液管２１の下流側の端部近傍に、前記噴射管９内を流れる流体を加速することにより、前記給液管２１の下流側の端部近傍を減圧するオリフィス２６を形成した構成としたものである。
【００７６】  本実施形態においては、前記噴射管９に送り込まれる流体が前記オリフィス２６において加速されて、前記給液管２１の先端部近傍に負圧を生じさせる。
【００７７】  この負圧は、前記給液管２１内の液体を吸引して前記噴射管９内に引き込み、この噴射管９内を流れる流体に混合させる。
【００７８】  したがって、前記給液管２１を、大気に開放された前記液体タンク２３に直接接続しておくことにより、この液体タンク２３内の液体を、前記給液管２１を介して前記噴射管９内の流体に混合させることができる。
【００７９】  この結果、前記第４の実施形態において用いた前記ポンプ２４を省略することができる。
【００８０】  さらに、図１３は本発明の第６の実施形態を示す。  本実施形態においては、前記噴射管９内部を全長にわたって均一な内径とするとともに、前記給液管２１の先端部を、前記噴射管９の先端部近傍に位置させた構成としている。
【００８１】  また、前記接続部材９ａにアタッチメント２７を介して貯液ボトル２８を接続し、前記給液管２１の後端部を、前記アタッチメント２７を貫通させて、前記貯液ボトル２８内に位置させている。
【００８２】  前記給液管２１の後端部は、さらに、前記貯液ボトル２８に装着されている導液管２９へ連通させた構成としている。
【００８３】  前記導液管２９の下端部には、前記貯液ボトル２８内に貯留されている液体Ｌ内に位置させられたフィルター３０を取り付けてある。
【００８４】  そして、前記噴射管９内に圧縮空気を送り込むと、この圧縮空気が前記給液管２１の外周に沿って流れ、この給液管２１の先端から離脱する際に、この給液管２１の前方に負圧領域Ｄが形成される。
【００８５】  このように負圧領域Ｄが形成されると、その負圧により、前記給液管２１内の空気が吸い出され、これに伴い、前記貯液ボトル２８内の液体Ｌが、前記フィルター３０および前記導液管２９を経て吸い上げられて、前記給液管２１の先端から噴射される。
【００８６】  そして、本実施形態においては、前記給液管２１から噴射する液体Ｌを、前記接続部材９ａに取り付けた前記貯液ボトル２８に貯留した構成としたことにより、この貯液ボトル２８を前記清掃ヘッド２と一体化して、給液手段をコンパクトな構成とすることができる。
【産業上の利用可能性】
【００８７】  本発明は、車両の清掃のみならず、家屋の清掃等においても好適に用いることができる。
【符号の説明】
【００８８】１  清掃装置２  清掃ヘッド２ａ  開口部３  流体供給手段４  吸引手段５  ヘッド本体６  先部材６ａ  隔壁６ｂ  吸引路６ｃ  給気路６ｄ  係合凹部７  開閉弁７ａ  操作レバー８  流体供給管９  噴射管９ａ  接続部材１０  吸引ホース１１  吸引管１１ａ  止着部１１ｂ  貫通孔１２  ロックレバー１２ａ  係止爪１２ｂ  操作ボタン１３  枢軸１４  付勢部材１５  支持ピン１６  プロテクトチューブ１７  パッキン２０  先部材２１  給液管２２  給液手段２３  液体タンク２４  ポンプ２５  開閉弁２６  オリフィス２７  アタッチメント２８  貯液ボトル２９  導液管３０  フィルターＡ  清掃空間Ｄ  負圧領域Ｌ  液体Ｗ  被清掃体 
【図１】
2015115477.tif 000003
【図２】
2015115477.tif 000004
【図３】
2015115477.tif 000005
【図４】
2015115477.tif 000006
【図５】
2015115477.tif 000007
【図６】
2015115477.tif 000008
【図７】
2015115477.tif 000009
【図８】
2015115477.tif 000010
【図９】
2015115477.tif 000011
【図１０】
2015115477.tif 000012
【図１１】
2015115477.tif 000013
【図１２】
2015115477.tif 000014
【図１３】
2015115477.tif 000015
【国際調査報告】
2015115477.tif 000016
2015115477.tif 000017
2015115477.tif 000018
2015115477.tif 000019